(57)【要約】  本発明の例示的な実施形態によれば、方法、実行可能コンピュータプログラム及び装置が、肯定応答を送信すべきであると判断し、送信すべきスケジューリング要求も存在する場合には、肯定応答をスケジューリングリソース上でスケジューリング要求と組み合わせ、そうでない場合には、肯定応答を別のリソースに入れる。本発明の別の実施形態によれば、方法、実行可能コンピュータプログラム及び装置が、スケジューリングリソース上で情報を受信し、このスケジューリングリソース上で受信された情報が肯定応答を含むと判断する。【選択図】図５
2011502415.tif 000002
【特許請求の範囲】
【請求項１】
肯定応答を送信すべきであると判断するステップと、
送信すべきスケジューリング要求も存在する場合には、前記肯定応答をスケジューリングリソース上で前記スケジューリング要求と組み合わせるステップと、
そうでない場合には、前記肯定応答を別のリソースに入れるステップと、
を含むことを特徴とする方法。
【請求項２】
送信すべき前記スケジューリング要求も存在する場合には、前記肯定応答を前記スケジューリングリソース上で前記スケジューリング要求とともに送信するステップを含む、
ことを特徴とする請求項１に記載の方法。
【請求項３】
チャネル品質指標も送信すべき場合には、前記チャネル品質指標を送信せずに前記別のリソースを使用しないことを含む、
ことを特徴とする請求項１又は請求項２のいずれかに記載の方法。
【請求項４】
前記別のリソースがデータ非依存リソースである、
ことを特徴とする請求項１又は請求項２のいずれか１項に記載の方法。
【請求項５】
前記送信ステップが物理アップリンク制御チャネル上で行われる、
ことを特徴とする請求項２に記載の方法。
【請求項６】
前記送信ステップがアップリンク上で行われる、
ことを特徴とする請求項２又は請求項５のいずれかに記載の方法。
【請求項７】
前記肯定応答が、未変調シーケンス１及びＢＰＳＫ／ＱＰＳＫ変調シーケンス２を含む、
ことを特徴とする請求項１又は請求項２のいずれか１項に記載の方法。
【請求項８】
ユーザ機器内で実施される、
ことを特徴とする請求項１又は請求項２のいずれかに記載の方法。
【請求項９】
無線通信ネットワーク内で実施される、
ことを特徴とする請求項１又は請求項２のいずれかに記載の方法。
【請求項１０】
次世代ユニバーサル地上無線アクセスネットワーク内で実施される、
ことを特徴とする請求項１、請求項２、請求項８又は請求項９のいずれか１項に記載の方法。
【請求項１１】
肯定応答を送信すべきであると判断するステップと、
送信すべきスケジューリング要求も存在する場合には、前記肯定応答をスケジューリングリソース上で前記スケジューリング要求と組み合わせるステップと、
そうでない場合には、前記肯定応答を別のリソースに入れるステップと、
を含む動作を行なうべくプロセッサにより実行可能なコンピュータプログラムで符号化されたコンピュータ可読媒体。
【請求項１２】
前記送信すべきスケジューリング要求も存在する場合には、前記肯定応答を前記スケジューリングリソース上で前記スケジューリング要求とともに送信するステップを含む、
ことを特徴とする請求項１１のコンピュータプログラムで符号化されたコンピュータ可読媒体。
【請求項１３】
チャネル品質指標も送信すべき場合には、前記チャネル品質指標を送信せずに前記別のリソースを使用しないことを含む、
ことを特徴とする請求項１１又は請求項１２のいずれか１項に記載のコンピュータプログラムで符号化されたコンピュータ可読媒体。
【請求項１４】
前記別のリソースがデータ非依存リソースである、
ことを特徴とする請求項１１又は請求項１２のいずれか１項に記載のコンピュータプログラムで符号化されたコンピュータ可読媒体。
【請求項１５】
肯定応答を送信すべきであると判断するように構成されたプロセッサを備え、該プロセッサが、送信すべきスケジューリング要求も存在する場合には、前記肯定応答をスケジューリングリソース上で前記スケジューリング要求と組み合わせ、そうでない場合には、前記肯定応答を別のリソースに入れるようにさらに構成される、
ことを特徴とする装置。
【請求項１６】
送信すべき前記スケジューリング要求も存在する場合には、前記肯定応答を前記スケジューリングリソース上で前記スケジューリング要求とともに送信するように構成された送信機を備える、
ことを特徴とする請求項１５に記載の装置。
【請求項１７】
前記プロセッサが、チャネル品質指標も送信すべき場合には、前記チャネル品質指標を送信せずに前記別のリソースを使用しないように前記チャネル品質指標をドロップするようにさらに構成された、
ことを特徴とする請求項１５又は請求項１６のいずれか１項に記載の装置。
【請求項１８】
前記別のリソースがデータ非依存リソースである、
ことを特徴とする請求項１５又は請求項１６のいずれか１項に記載の装置。
【請求項１９】
前記送信機が、前記肯定応答を物理アップリンク制御チャネル上で前記スケジューリング要求とともに送信するように構成された、
ことを特徴とする請求項１６に記載の装置。
【請求項２０】
前記送信機が、前記肯定応答をアップリンク上で前記スケジューリング要求とともに送信するように構成された、
ことを特徴とする請求項１６又は請求項１９のいずれか１項に記載の装置。
【請求項２１】
前記肯定応答が、未変調シーケンス１及びＢＰＳＫ／ＱＰＳＫ変調シーケンス２を含む、
ことを特徴とする請求項１５又は請求項１６のいずれか１項に記載の装置。
【請求項２２】
ユーザ機器に統合された、
ことを特徴とする請求項１５又は請求項１６のいずれか１項に記載の装置。
【請求項２３】
無線通信ネットワーク内で動作するように構成された、
ことを特徴とする請求項１５又は請求項１６のいずれか１項に記載の装置。
【請求項２４】
次世代ユニバーサル地上無線アクセスネットワーク内で動作するように構成された、
ことを特徴とする請求項１５、請求項１６、請求項２２又は請求項２３のいずれか１項に記載の装置。
【請求項２５】
肯定応答を送信すべきであると判断する手段と、
送信すべきスケジューリング要求も存在する場合には、前記肯定応答をスケジューリングリソース上で前記スケジューリング要求と組み合わせ、そうでない場合には、前記肯定応答を別のリソースに入れる手段と、
を備えることを特徴とする装置。
【請求項２６】
送信すべき前記スケジューリング要求も存在する場合には、前記肯定応答を前記スケジューリングリソース上で前記スケジューリング要求とともに送信する手段を備える、
ことを特徴とする請求項２５に記載の装置。
【請求項２７】
チャネル品質指標も送信すべきである場合には、前記チャネル品質指標を送信せずに前記別のリソースを使用しないように前記チャネル品質指標をドロップする手段を備える、
ことを特徴とする請求項２５又は請求項２６のいずれかに記載の装置。
【請求項２８】
前記別のリソースがデータ非依存リソースである、
ことを特徴とする請求項２５又は請求項２６のいずれか１項に記載の装置。
【請求項２９】
前記送信手段が、前記肯定応答を物理アップリンク制御チャネル上で前記スケジューリング要求とともに送信する手段をさらに備える、
ことを特徴とする請求項２６に記載の装置。
【請求項３０】
前記送信手段が、前記肯定応答をアップリンク上で前記スケジューリング要求とともに送信する手段をさらに備える、
ことを特徴とする請求項２６又は請求項２９のいずれかに記載の装置。
【請求項３１】
前記肯定応答が、未変調シーケンス１及びＢＰＳＫ／ＱＰＳＫ変調シーケンス２を含む、
ことを特徴とする請求項２５又は請求項２６のいずれか１項に記載の装置。
【請求項３２】
ユーザ機器に統合される、
ことを特徴とする請求項２５又は請求項２６のいずれか１項に記載の装置。
【請求項３３】
無線通信ネットワーク内で動作する手段を備える、
ことを特徴とする請求項２５又は請求項２６のいずれか１項に記載の装置。
【請求項３４】
次世代ユニバーサル地上無線アクセスネットワーク内で動作する手段を備える、
ことを特徴とする請求項２５、請求項２６、請求項２８、又は請求項２９のいずれかに記載の装置。
【請求項３５】
スケジューリングリソース上で情報を受信するステップと、
前記スケジューリングリソースで受信した前記情報が肯定応答を含むと判断するステップと、
を含むことを特徴とする方法。
【請求項３６】
前記スケジューリングリソース上で受信した前記情報が前記肯定応答を含むと判断する前記ステップに適宜応答するステップを含む、
ことを特徴とする請求項３５に記載の方法。
【請求項３７】
前記情報が物理アップリンク制御チャネル上で受信される、
ことを特徴とする請求項３５又は請求項３６のいずれか１項に記載の方法。
【請求項３８】
前記情報が無線通信ネットワークから受信される、
ことを特徴とする請求項３５又は請求項３６のいずれか１項に記載の方法。
【請求項３９】
前記情報が次世代ユニバーサル地上無線アクセスネットワークから受信される、
ことを特徴とする請求項３１、請求項３２又は請求項３４のいずれか１項に記載の方法。
【請求項４０】
スケジューリングリソース上で情報を受信するステップと、
前記スケジューリングリソース上で受信した前記情報が肯定応答を含むと判断するステップと、
を含む動作を行うべくプロセッサにより実行可能なコンピュータプログラムで符号化されたコンピュータ可読媒体。
【請求項４１】
前記スケジューリングリソース上で受信した前記情報が前記肯定応答を含むと判断する前記ステップに適宜応答するステップを含む、
ことを特徴とする請求項４０のコンピュータプログラムで符号化されたコンピュータ可読媒体。
【請求項４２】
スケジューリングリソース上で情報を受信するように構成された受信機と、
前記スケジューリングリソース上で受信した前記情報が肯定応答を含むと判断するように構成されたプロセッサと、
を備えることを特徴とする装置。
【請求項４３】
送信機をさらに備え、該送信機及び前記プロセッサが、前記スケジューリングリソース上で受信した前記情報が前記肯定応答を含むと判断する前記ステップに適宜応答する、
ことを特徴とする請求項４２に記載の装置。
【請求項４４】
前記受信機が、前記情報を物理アップリンク制御チャネル上で受信するようにさらに構成された、
ことを特徴とする請求項４２又は請求項４３のいずれか１項に記載の装置。
【請求項４５】
前記受信機が、前記情報を無線通信ネットワークから受信するようにさらに構成された、
ことを特徴とする請求項４２又は請求項４３のいずれか１項に記載の装置。
【請求項４６】
前記受信機が、前記情報を次世代ユニバーサル地上無線アクセスネットワークから受信するようにさらに構成された、
ことを特徴とする請求項４２、請求項４３、又は請求項４５のいずれかに記載の装置。
【請求項４７】
スケジューリングリソース上で情報を受信する手段と、
前記スケジューリングリソース上で受信した前記情報が肯定応答を含むと判断する手段と、
を備えることを特徴とする装置。
【請求項４８】
前記スケジューリングリソース上で受信した前記情報が前記肯定応答を含むと判断する前記ステップに適宜応答する手段を備える、
ことを特徴とする請求項４７に記載の装置。
【請求項４９】
前記受信手段が受信機を含み、前記判断手段がプロセッサを含み、前記応答手段が送信機を含む、
ことを特徴とする請求項４６又は請求項４７のいずれか１項に記載の装置。
【請求項５０】
スケジューリング要求リソース及び少なくとも１つのその他のリソースがユーザ機器のために同じサブフレーム内に確保されていると判断するステップと、
スケジューリング要求が前記ユーザ機器により送信されることを望まれているかどうかに基づいて、肯定応答／否定応答と、前記ユーザ機器により送信されることを望まれているチャネル品質指標との少なくとも一方を前記リソースの１つに入れて少なくとも１つのその他のリソースを使用しないステップと、
を含むことを特徴とする方法。
【請求項５１】
前記スケジューリング要求リソース及び前記少なくとも１つのその他のリソースが、物理アップリンク制御チャネルリソースである、
ことを特徴とする請求項５０に記載の方法。
【請求項５２】
前記ユーザ機器がスケジューリング要求を送信すること、及び肯定応答／否定応答を送信することを望む場合には、前記肯定応答／否定応答を前記スケジューリングリソース上で前記スケジューリング要求とともに送信して少なくとも１つのその他のリソースを使用しないステップ、又は、
前記ユーザ機器がスケジューリング要求を送信することを望まずに、肯定応答／否定応答を送信することを望む場合には、前記肯定応答／否定応答を前記少なくとも１つのその他のリソース上で送信して前記スケジューリング要求リソースを使用しないステップ、
を含むことを特徴とする請求項５０又は請求項５１のいずれか１項に記載の方法。
【請求項５３】
前記ユーザ機器が、スケジューリング要求及びチャネル品質指標を送信することは望むが、肯定応答／否定応答を送信することは望まない場合には、前記スケジューリング要求を前記スケジューリングリソース上で送信して前記チャネル品質指標を送信せずに、前記少なくとも１つのその他のリソースを使用しないステップを含む、
ことを特徴とする請求項５０又は請求項５１のいずれか１項に記載の方法。
【請求項５４】
前記ユーザ機器が、スケジューリング要求を送信すること、チャネル品質指標を送信すること、及び肯定応答／否定応答を送信することを望む場合には、肯定応答／否定応答を前記スケジューリングリソース上で前記スケジューリング要求とともに送信して前記チャネル品質指標を送信せずに、前記少なくとも１つのその他のリソースを使用しないステップ、又は、
前記ユーザ機器がスケジューリング要求を送信することを望まずに、チャネル品質指標及び肯定応答／否定応答を送信することを望む場合には、前記肯定応答／否定応答及び前記チャネル品質指標を前記少なくとも１つのその他のリソース上で送信して、前記スケジューリング要求リソースを使用しないステップ、
を含むことを特徴とする請求項５０又は請求項５１のいずれか１項に記載の方法。
【請求項５５】
前記スケジューリング要求情報が、選択した物理アップリンク制御チャネル選択に基づいて伝達される、
ことを特徴とする請求項５０又は請求項５１のいずれか１項に記載の方法。
【発明の詳細な説明】
【技術分野】
【０００１】
本発明の例示的かつ非限定的な実施形態は、一般に、無線通信システム、装置、方法及びコンピュータプログラム製品に関し、より具体的には、肯定応答又はチャネル品質指標を伴う改善したスケジューリング要求のシグナリングに関する。
【背景技術】
【０００２】
本節は、特許請求の範囲に記載する本発明に至るまでの背景又は状況を示すことを目的とする。本明細書における説明は、追求できる概念を含むことができるが、この概念が必ずしも以前に考案又は追求されたものであるとは限らない。したがって、本節で説明する内容は、本明細書において特に示さない限り、本出願における説明及び特許請求の範囲にとっての先行技術ではなく、本節に含まれることにより先行技術であると認められるものではない。
【０００３】
本明細書では以下の略語を利用する。
３ＧＰＰ  第三世代パートナーシッププロジェクト
ＡＣＫ  肯定応答
ＢＰＳＫ  ２進位相シフトキーイング
ＣＡＺＡＣ  定振幅ゼロ自己相関
ＣＭ  キュービックメトリック
ＣＱＩ  チャネル品質指標
ＤＮＡ  データ非依存
ＤＬ  ダウンリンク（ノードＢからＵＥへ）
ＤＬ−ＳＣＨ  ダウンリンク共有チャネル
ｅＮｏｄｅ  Ｂ  次世代ノードＢ（ＬＴＥ基地局）
Ｅ−ＵＴＲＡＮ  次世代ユニバーサル地上無線アクセスネットワーク
ＬＴＥ  ＵＴＲＡＮのロングタームエボリューシュン（ＥＵＴＲＡＮ）
ＮＡＣＫ  否定応答
Ｎｏｄｅ  Ｂ  基地局
ＰＡＲ  ピーク対平均値比
ＰＵＣＣＨ  物理アップリンク制御チャネル
ＰＵＳＣＨ  物理アップリンク共有チャネル
ＱＰＳＫ  直交位相シフト変調
ＲＡＣＨ  ランダムアクセスチャネル
ＲＡＮ  無線アクセスネットワーク
ＲＲＣ  無線リソース制御
ＲＳ  基準信号
ＳＦ  拡散率
ＳＲ  スケジューリング要求
ＴＳＧ  技術仕様書グループ
ＴＴＩ  送信時間間隔
ＵＥ  移動局又は移動端末などのユーザ機器、
ＵＬ  アップリンク（ＵＥからＮｏｄｅＢへ）
ＵＴＲＡＮ  ユニバーサル地上無線アクセスネットワーク
ＶｏＩＰ  ボイスオーバーインターネットプロトコル
ＷＧ  作業グループ
【０００４】
３ＧＰＰは、ＬＴＥ（Ｅ−ＵＴＲＡＮ）の標準化に取り組んできた。ＵＬデータが存在しない場合、（ＡＣＫ／ＮＡＣＫ、周期的ＣＱＩなどの）データ非依存制御信号はＰＵＣＣＨ上で送信される。さらに、以下の事項が決定された。
（ａ）  ＡＣＫ／ＮＡＣＫ（のみの）信号は、変調ＣＡＺＡＣ１シーケンス（コヒーレント）を利用して送信される。１ビットＡＣＫ／ＮＡＣＫにはＢＰＳＫが、２ビットＡＣＫ／ＮＡＣＫにはＱＰＳＫが使用される。変調ＣＡＺＡＣシーケンスにはＳＦ＝３／ＳＦ＝４（パイロット／データ）のブロック単位の拡散が適用される。（１  適用されるシーケンスは真のＣＡＺＡＣではなく、コンピュータ検索ゼロ自己相関（ＺＡＣ）シーケンスの場合がある。１つのリソースブロックの帯域幅割当を有する基準信号として同じシーケンスが適用される。）
（ｂ）  周期的ＣＱＩ（及びＣＱＩとＡＣＫ／ＮＡＣＫとの組み合わせ）も、変調ＣＡＺＡＣシーケンスを利用して送信される。ブロック拡散は使用されない。
【０００５】
ソレントで行われた３ＧＰＰ  ＴＳＧ  Ｒａｎ  ＷＧ１会合＃４７ｂｉｓでは、時刻同期したユーザのための非競合ベースのＳＲメカニズムをサポートすることが合意された。
【０００６】
ＳＲ多重化の基本原理は、上海で行われた３ＧＰＰ  ＴＳＧ  ＲＡＮ  ＷＧ１会合＃５０ｂｉｓにおいて合意された。この点に関しては、Ｒ２−０７４３３３、３ＧＰＰ  ＴＳＧ−ＲＡＮ  ＷＧ２  ＃５９ｂｉｓ、Ａｌｃａｔｅｌ−Ｌｕｃｅｎｔ社「ＨＯ中のＮＡＳメッセージの取り扱い」、２００７年１０月８日〜１２日、中国上海、をさらに参照することができる。
【０００７】
上海会合では以下の事項も決定された。
（ｉ）  ＳＲには２つの状態に対応する２つのサイズがある。ＵＥは、スケジューリングされることを要求し、又は（送信を行わない場合には）ＵＥは、スケジューリングされることを要求しない。
（ｉｉ）  ＡＣＫ／ＮＡＣＫ設計に基づくオンオフキーイング。長さ７のシーケンスは、長さ３及び長さ４の２つの直交シーケンスに分割される。図１は、長さ３及び４の２つの構成直交シーケンス４２、４４をそれぞれ含む長さ７シーケンス４０を示している。
（ｉｉｉ）  異なるＵＥからのＡＣＫ／ＮＡＣＫ送信と互換性がある。
（ｉｖ）  循環シフト及び直交カバーコードに対応する異なるリソースをスケジューリング要求及びＡＣＫ／ＮＡＣＫに割り当てることができる。
【０００８】
ＵＬ上で送信されるＡＣＫ／ＮＡＣＫは、ＤＬ−ＳＣＨ（物理ダウンリンク共有チャネル、ＰＤＳＣＨ）に関するものである。ＵＥが送信すべきデータを有していない（すなわちＵＬ上で）場合、ＡＣＫ／ＮＡＣＫはＰＵＣＣＨ上で送信される。ＵＥが送信すべきＵＬデータを有している場合、ＡＣＫ／ＮＡＣＫはＰＵＳＣＨ上で送信される。
【発明の概要】
【課題を解決するための手段】
【０００９】
本発明の例示的な態様では、方法が、肯定応答を送信すべきであると判断するステップと、送信すべきスケジューリング要求も存在する場合には、肯定応答をスケジューリングリソース上でスケジューリング要求と組み合わせるステップと、そうでない場合には、肯定応答を別のリソースに入れるステップとを含む。
【００１０】
本発明の例示的な態様では、プロセッサにより実行可能なコンピュータプログラムで符号化されたコンピュータ可読媒体が、肯定応答を送信すべきであると判断するステップと、送信すべきスケジューリング要求も存在する場合には、肯定応答をスケジューリングリソース上でスケジューリング要求と組み合わせるステップと、そうでない場合には、肯定応答を別のリソースに入れるステップとを含む動作を実行する。
【００１１】
本発明の例示的な態様では、装置が、肯定応答を送信すべきであると判断するように構成されたプロセッサを備え、このプロセッサは、送信すべきスケジューリング要求も存在する場合には、肯定応答をスケジューリングリソース上でスケジューリング要求と組み合わせ、そうでない場合には、肯定応答を別のリソースに入れるようにさらに構成される。
【００１２】
本発明の例示的な態様では、装置が、肯定応答を送信すべきであると判断する手段と、送信すべきスケジューリング要求も存在する場合には、肯定応答をスケジューリングリソース上でスケジューリング要求と組み合わせ、そうでない場合には、肯定応答を別のリソースに入れる手段とを備える。
【００１３】
本発明の別の例示的な態様では、方法が、スケジューリングリソース上で情報を受信するステップと、このスケジューリングリソース上で受信した情報が肯定応答を含むと判断するステップとを含む。
【００１４】
本発明の別の例示的な態様では、プロセッサにより実行可能なコンピュータプログラムで符号化されたコンピュータ可読媒体が、スケジューリングリソース上で情報を受信するステップと、このスケジューリングリソース上で受信した情報が肯定応答を含むと判断するステップを含む動作を実行する。
【００１５】
本発明のさらに別の例示的な態様では、装置が、スケジューリングリソース上で情報を受信するように構成された受信機と、このスケジューリングリソース上で受信した情報が肯定応答を含むと判断するように構成されたプロセッサとを備える。
【００１６】
本発明のさらに別の例示的な態様では、装置が、スケジューリングリソース上で情報を受信する手段と、このスケジューリングリソース上で受信した情報が肯定応答を含むと判断する手段とを備える。
【００１７】
本発明のさらに別の例示的な態様では、方法が、スケジューリング要求リソース及び少なくとも１つのその他のリソースがユーザ機器のために同じサブフレーム内に確保されていると判断するステップと、スケジューリング要求がユーザ機器により送信されることを望まれているかどうかに基づいて、肯定応答／否定応答と、ユーザ機器により送信されることを望まれているチャネル品質指標との少なくとも一方をリソースの１つに入れて、少なくとも１つのその他のリソースを使用しないステップとを含む。
【図面の簡単な説明】
【００１８】
【図１】長さ３及び４の２つの成分直交シーケンスを含む長さ７のシーケンスを示す図である。
【図２】ＡＣＫ／ＮＡＣＫ及びＳＲリソースをＰＵＣＣＨ上のＵＬ送信に割り当てる例を示す図である。
【図３】１８個のパラレルＡＣＫ／ＮＡＣＫチャネル用に構成されたＡＣＫ／ＮＡＣＫリソースの例を示す図である。
【図４】７２個のパラレルＳＲチャネル用に構成されたＳＲリソースの例を示す図である。
【図５】本発明の例示的な実施形態を実施する方法の１つの非限定的な例を示すフロー図である。
【図６】本発明の例示的な実施形態の実施における使用に適した様々な電子装置の簡略ブロック図である。
【図７】本発明の例示的な実施形態を実施する方法の別の非限定的な例を示すフロー図である。
【図８】本発明の例示的な実施形態を実施する方法の別の非限定的な例を示すフロー図である。
【図９Ａ】例示的な本発明の実施形態を実施する方法のさらに別の例を示すフロー図である。
【図９Ｂ】例示的な本発明の実施形態を実施する方法のさらに別の例を示すフロー図である。
【図９Ｃ】例示的な本発明の実施形態を実施する方法のさらに別の例を示すフロー図である。
【発明を実施するための形態】
【００１９】
（ＤＬ  ＡＣＫ／ＮＡＣＫなどの）ＡＣＫ／ＮＡＣＫ及び／又は周期的ＣＱＩなどのデータ非依存制御信号がＵＬ  ＳＲと同時に存在する多重化の場合について検討する。さらに、ＵＥがＰＵＳＣＨ上でのＵＬデータ送信をスケジューリングしたときには別個のＳＲ／バッファ状態報告原理が使用されるので、ＵＥはＵＬデータを送信していないと仮定する。上述したように、ＵＬデータが存在しない場合、データ非依存制御信号はＰＵＣＣＨ上で送信される。
【００２０】
今日まで、３ＧＰＰ  ＲＡＮ１で行われるＳＲの決定は、ＳＲが単独で送信される場合のみを対象としている。しかしながら、ＳＲが、ＡＣＫ／ＮＡＣＫ及び／又は周期的ＣＱＩ（例えば、ＡＣＫ／ＮＡＣＫ＋ＳＲ、周期的ＣＱＩ＋ＳＲ、周期的ＣＱＩ＋ＡＣＫ／ＮＡＣＫ＋ＳＲ）などの追加のデータ非依存制御信号とともに送信されることがあり得る。このような場合には様々な混乱が生じる恐れがある。
【００２１】
図２は、ＡＣＫ／ＮＡＣＫ及びＳＲリソースをＰＵＣＣＨ上のＵＬ送信に割り当てる例を示している。図２では、ＡＣＫ／ＮＡＣＫ及びＳＲが、異なる周波数ホッピング無線リソース用に構成されている。図３は、１８個のパラレルＡＣＫ／ＮＡＣＫチャネル用に構成されたＡＣＫ／ＮＡＣＫリソースの例を示している。図４は、７２個のパラレルＳＲチャネル用に構成されたＳＲリソースの例を示している。
【００２２】
個々のＵＥは、２つの異なるチャネルに割り当てられた特定のコードリソースを有し、１つのＵＥが、例えば、それぞれ８番目のＡＣＫ／ＮＡＣＫリソース及び２８番目のＳＲリソースを占有することができる（図３及び図４を参照）。
【００２３】
検討されるシグナリングの組み合わせに関する１つの問題点は、複数の周波数帯域を介して信号を送信して、単一キャリア送信の有益な低ＰＡＲ特性が維持されるようにすることは不可能である（図２を参照）というＬＴＥ  ＵＬの単一キャリア特性に関するものである。しかしながら、ＵＬ方向の共通パイロットの欠如に起因して、２つの別個のクラスタを介して（又はＳＲ及びＡＣＫ／ＮＡＣＫ及び／又はＣＱＩが非重複周波数リソース内に構成されている場合には４つのクラスタを介して）（ＳＲ＋ＡＣＫ／ＮＡＣＫ及び／又はＣＱＩなどの）２つの低速制御信号を送信することは経済的でないと思われる。
【００２４】
ＲＡＮ１内には、ＳＲが存在する場合にマルチキャリア／マルチクラスタ送信を回避するための、説明するいくつかの従来技術が存在する。
（ａ）  １つの技術は、（ＳＲではなくＡＣＫ／ＮＡＣＫ、又はＣＱＩではなくＳＲのように）所定のシグナリング形式に優先順位を付けるというものである。これは、同じサブフレーム内に２つのシグナリング形式が存在する場合、優先順位が高い方のシグナリング形式のみが送信されるのに対し、優先順位が低い方のシグナリング形式は一切送信されないことを意味する。このアプローチに関する１つの問題点は、ＳＲ（又はＣＱＩ）遅延の増大である。この遅延は、例えばＶｏＩＰ用途において重要なものとなり得る。
（ｂ）  周期的ＣＱＩ＋ＳＲ：この発想は、周期的ＣＱＩ報告及びＳＲシグナリングを、これらが同じサブフレーム内に現れないように配置することであると思われる。このアプローチに関する１つの問題点は、この配置が、ＳＲ又はＣＱＩシグナリングのいずれかに様々な制限を持ち込む点である。これも、ＳＲとＣＱＩの周期性が同じでない場合があるので配置が困難となり得る。
（ｃ）  ＡＣＫ／ＮＡＣＫ＋ＳＲ：特定のＳＲリソースに割り当てられているＵＥに特定のスケジューラ制限を導入する（すなわち、ＵＥが同時ＳＲ送信を行うＴＴＩの間にＡＣＫ／ＮＡＣＫ送信を行わせる時間リソースにＤＬデータを割り当てない）ことにより、この状況を避けることが可能である。
（ｄ）  異なる代替案のための特別な多重化スキーム（例えば、ＡＣＫ／ＮＡＣＫ＋ＳＲ、周期的ＣＱＩ＋ＳＲ、ＡＣＫ／ＮＡＣＫ＋周期的ＣＱＩ＋ＳＲのための異なるスキーム）を開発することも可能であろう。このアプローチに関する問題点は、リンク性能（変調方法）及び／又はリソース割当て（マルチコード法、シーケンス選択法）に関するものである。この技術に関しては、２００７年６月１８日に出願された、Ｔｉｉｒｏｌａ他による「ＰＵＣＣＨ上で送信されるスケジューリング要求及びＡＣＫ／ＮＡＣＫ及び／又はＣＱＩの多重化」という名称の、同一出願人による米国仮特許出願第６０／９３６，０３３号（代理人整理番号第８６３．００６７．Ｐ１（米国））を参照することができる。この点に関しては、さらに、Ｒ２−０７４１３９、３ＧＰＰ  ＴＳＧ−ＲＡＮ  ＷＧ２＃５９ｂｉｓ、ＮＥＣ、「Ｘ２ダウンリンク転送遅延」、２００７年１０月８〜１２日、中国上海、を参照することができる。
【００２５】
本発明の例示的な実施形態は、ＡＣＫ／ＮＡＣＫ及び／又はＣＱＩと共にＳＲをシグナリングするための改善技術を提供する。いくつかの例示的な実施形態では、肯定ＳＲの場合に、否定ＳＲの場合とは異なる多重化手順が行われる。３ＧＰＰ  ＴＳＧ−ＲＡＮ  ＷＧ１＃５０ｂｉｓ上海決定事項によれば、ＳＲが単独で送信されるときに肯定ＳＲのみがシグナリングされる（すなわち否定ＳＲは送信されない）。
【００２６】
本発明の１つの非限定的な例示的な実施形態では、
（ｉ）  否定ＳＲの場合、ＡＣＫ／ＮＡＣＫ及び／又はＣＱＩが、元々のＡＣＫ／ＮＡＣＫ（ＡＣＫ／ＮＡＣＫ  ＰＵＣＣＨ）及び／又はＣＱＩリソース（ＣＱＩ  ＰＵＣＣＨ）を使用して送信される。
（ｉｉ）  肯定ＳＲの場合、ＡＣＫ／ＮＡＣＫ信号が、ＳＲリソース（ＳＲ  ＰＵＣＣＨ）を使用して送信される。（単複の）ＳＲリソース上でのＡＣＫ／ＮＡＣＫの送信を、ＡＣＫ／ＮＡＣＫがＡＣＫ／ＮＡＣＫリソース上で送信される場合と同様の方法（未変調シーケンス１及び変調シーケンス２、又は、未変調シーケンス１及び未変調シーケンス２）で行うことができる。この場合、ＡＣＫ／ＮＡＣＫリソース（ＡＣＫ／ＮＡＣＫ  ＰＵＣＣＨ）は使用されない。
（ｉｉｉ）  同時ＡＣＫ／ＮＡＣＫ信号を含まない肯定ＳＲの場合、ＳＲ信号が、元々のＳＲリソース、すなわち（単複の）ＳＲ  ＰＵＣＣＨを使用して送信される。同時ＣＱＩはドロップされ（すなわち送信されず）、（単複の）ＣＱＩリソース（ＣＱＩ  ＰＵＣＣＨ）は使用されない。
【００２７】
このようにして、ＡＣＫ／ＮＡＣＫ及び（肯定）ＳＲの同時送信がサポートされるのに対し、（肯定）ＳＲ及びＣＱＩの同時送信に対する措置は存在しない。
【００２８】
本明細書で利用する場合、「肯定ＳＲ」とは、ＵＥがＳＲを（ノードＢなどへ）送信したいと望むことを意味する。同様に、「否定ＳＲ」は、ＵＥがＳＲを（ノードＢなどへ）送信したいと望まないことを示す。「リソース」に対するあらゆる言及は、特定のシグナリングに割り当てられた単一のリソース又は複数のリソースを含むと解釈すべきである。
【００２９】
否定ＳＲの場合、ＡＣＫ／ＮＡＣＫ又はＣＱＩに割り当てられた元々のリソースを使用してＡＣＫ／ＮＡＣＫ及び／又はＣＱＩをそれぞれ送信することが可能である。（単複の）ＳＲリソースは使用されない（ＳＲ  ＰＵＣＣＨ）。したがって、以下が適用される。否定ＳＲ及びＡＣＫ／ＮＡＣＫが存在する場合、（単複の）元々のＡＣＫ／ＮＡＣＫリソース、すなわちＡＣＫ／ＮＡＣＫ  ＰＵＣＣＨのみを使用してＡＣＫ／ＮＡＣＫを送信する。否定ＳＲ及び（周期的ＣＱＩなどの）ＣＱＩが存在する場合、（単複の）元々のＣＱＩリソース、すなわちＣＱＩ  ＰＵＣＣＨ）のみを使用してＣＱＩを送信する。否定ＳＲ、及びＡＣＫ／ＮＡＣＫとＣＱＩの両方が存在する場合、元々のＡＣＫ／ＮＡＣＫ及びＣＱＩリソース、すなわちＣＱＩ  ＰＵＣＣＨのみをそれぞれ使用してＡＣＫ／ＮＡＣＫ及びＣＱＩを送信する。
【００３０】
上述したように、肯定ＳＲの場合には、ＡＣＫ／ＮＡＣＫ及びＳＲの同時送信がサポートされるのに対し、ＣＱＩ及びＳＲの同時送信に対するサポートは存在しない。ＡＣＫ／ＮＡＣＫ及び肯定ＳＲの同時送信は、（単複の）ＳＲリソース、すなわちＳＲ  ＰＵＣＣＨを使用して行われる。したがって、以下の手順が適用される。
【００３１】
肯定ＳＲ及びＡＣＫ／ＮＡＣＫが存在する場合、（単複の）既存のＳＲリソース、すなわちＳＲ  ＰＵＣＣＨを使用してＡＣＫ／ＮＡＣＫを送信する。（単複の）ＡＣＫ／ＮＡＣＫリソース、すなわちＡＣＫ／ＮＡＣＫ  ＰＵＣＣＨは使用されない。ＡＣＫ／ＮＡＣＫを、（未変調シーケンス１、ＢＰＳＫ／ＱＰＳＫ−変調シーケンス２などの）自身のリソース上で送信される場合と同様に送信することができる。
【００３２】
肯定ＳＲ及び（周期的ＣＱＩなどの）ＣＱＩが存在する場合、ＳＲはＣＱＩを通じて優先順位が付けられる。すなわち、元々のＳＲリソースのみを使用して（例えば、ＰＵＣＣＨ上で）ＳＲを送信する。ＣＱＩリソース、すなわちＣＱＩ  ＰＵＣＣＨは使用されない。
【００３３】
肯定ＳＲ、及びＡＣＫ／ＮＡＣＫとＣＱＩの両方が存在する場合、ＡＣＫ／ＮＡＣＫは、元々のＳＲリソースのみを使用して（例えば、ＰＵＣＣＨ上で）送信される。ＣＱＩリソース、すなわちＣＱＩ  ＰＵＣＣＨは使用されず、ＣＱＩは送信されない。ＡＣＫ／ＮＡＣＫを、（未変調シーケンス１、ＢＰＳＫ／ＱＰＳＫ−変調シーケンス２などの）自身のリソース上で送信される場合と同様に送信することができる。
【００３４】
ノードＢ側では、ノードＢがＵＬ／ＤＬリソース割当て（例えば、ＣＱＩについては、ＤＬデータ及びＡＣＫ／ＮＡＣＫ、ＳＲ）に関与する。したがって、ノードＢは、肯定又は否定ＳＲを踏まえて異なるＵＥ動作を考慮して様々なリソースからＡＣＫ／ＮＡＣＫ、ＣＱＩ及びＳＲを受信することができる。
【００３５】
さらに例示的な実施形態では、ノードＢが、例えば（セル固有、ＵＥ固有などの）ＲＲＣシグナリングを使用して、上述した優先順位付けを修正することができる。このようにして、及び非限定的な例として、ノードＢが優先順位付けを修正して、ＣＱＩがＡＣＫ／ＮＡＣＫを通じて優先順位付けされるようにすることができる。
【００３６】
図５は、本発明の例示的な実施形態を実施する方法の１つの非限定的な例を示すフロー図である。ボックス５２において、肯定ＳＲ（「はい」）が存在するか、又は否定ＳＲ（「いいえ」）が存在するかが判定される。否定ＳＲが存在する場合、方法はボックス５４及び５６へ進む。ボックス５４において、ＡＣＫ／ＮＡＣＫ（ＣＱＩ無し）が存在する場合、ＡＣＫ／ＮＡＣＫリソースを使用してＡＣＫ／ＮＡＣＫが送信され、ＳＲリソースは使用されない。ボックス５６において、（ＡＣＫ／ＮＡＣＫの有無を問わず）ＣＱＩが存在する場合、ＣＱＩ（又はＣＱＩ＋ＡＣＫ／ＮＡＣＫ）がＣＱＩリソース（ＣＱＩ  ＰＵＣＣＨ）を使用して送信され、ＳＲリソース（及びＡＣＫ／ＮＡＣＫ  ＰＵＣＣＨ）は使用されない。肯定ＳＲが存在する（ボックス５２で「はい」の）場合、方法はボックス５８へ進む。ボックス５８において、ＡＣＫ／ＮＡＣＫが存在する（「はい」）か又は存在しない（「いいえ」）かが判定される。ＡＣＫ／ＮＡＣＫが存在しない（ボックス５８で「いいえ」の）場合、ボックス６０において、ＳＲリソースを使用してＳＲが送信され、ＡＣＫ／ＮＡＣＫ  ＰＵＣＣＨ及びＣＱＩ  ＰＵＣＣＨなどの、データ非依存（ＤＮＡ）リソースとすることができる追加リソースは使用されない。ＣＱＩは、存在するか否かに関わらず送信されない。ＡＣＫ／ＮＡＣＫが存在する（ボックス５８で「はい」の）場合、ボックス６２において、ＳＲリソースを使用してＡＣＫ／ＮＡＣＫが送信され、ＡＣＫ／ＮＡＣＫ  ＰＵＣＣＨ及びＣＱＩ  ＰＵＣＣＨなどのＤＮＡリソースは使用されない。ＣＱＩは、存在するか否かに関わらず送信されない。
【００３７】
本発明の例示的な実施形態の実施における使用に適した様々な電子装置の簡略ブロック図を示す図６を参照する。図６では、無線ネットワーク１２が、アクセスノード（ＡＮ）１６を介してユーザ機器（ＵＥ）１４と通信するようになっている。ＵＥ１４は、データプロセッサ（ＤＰ）１８と、ＤＰ１８に結合されたメモリ（ＭＥＭ）２０と、ＤＰ１８に結合された（送信機（ＴＸ）及び受信機（ＲＸ）を有する）適当なＲＦトランシーバ（ＴＲＡＮＳ）２２とを含む。ＭＥＭ２０はプログラム（ＰＲＯＧ）２４を記憶する。ＴＲＡＮＳ２２は、ＡＮ１６との双方向無線通信のためのものである。なお、ＴＲＡＮＳ２２は、通信を容易にするための少なくとも１つのアンテナを有する。
【００３８】
ＡＮ１６は、データプロセッサ（ＤＰ）２６と、ＤＰ２６に結合されたメモリ（ＭＥＭ）２８と、ＤＰ２６に結合された（送信機（ＴＸ）及び受信機（ＲＸ）を有する）適当なＲＦトランシーバ（ＴＲＡＮＳ）３０とを含む。ＭＥＭ２８はプログラム（ＰＲＯＧ）３２を記憶する。ＴＲＡＮＳ３０は、ＵＥ１４との双方向無線通信のためのものである。なお、ＴＲＡＮＳ３０は、通信を容易にするための少なくとも１つのアンテナを有する。ＡＮ１６は、データ経路３４を介して、例えばインターネット３６などの１又はそれ以上の外部ネットワーク又はシステムに結合される。
【００３９】
ＰＲＯＧ２４、３２の少なくとも一方は、本明細書で説明したように、関連するＤＰにより実行された場合、電子装置が本発明の例示的な実施形態に従って動作できるようにするプログラム命令を含むと仮定される。
【００４０】
一般に、ＵＥ１４の様々な例示的な実施形態として、以下に限定されるわけではないが、ユーザ機器、端末、移動電話、携帯電話、無線通信能力を有する携帯情報端末（ＰＤＡ）、無線通信能力を有するポータブルコンピュータ、無線通信能力を有するデジタルカメラなどの画像取込装置、無線通信能力を有するゲーム装置、無線通信能力を有する音楽ストレージ及び再生機器、無線インターネット接続及びブラウジングを可能にするインターネット機器、並びにこのような機能の組み合わせを組み込んだポータブルユニット又は端末を挙げることができる。
【００４１】
ＵＥ１４及びＡＮ１６のＤＰ１８、２６の１又はそれ以上により実行可能なコンピュータソフトウェアにより、又はハードウェアにより、或いはソフトウェアとハードウェアとの組み合わせにより、本発明の実施形態を実施することができる。
【００４２】
ＭＥＭ２０、２８は、ローカルな技術環境に適したいずれの種類のものであってもよく、また非限定的な例として、半導体ベースのメモリ装置、磁気記憶装置及びシステム、光学記憶装置及びシステム、固定記憶装置及び着脱可能記憶装置などのあらゆる適当なデータストレージ技術を使用して実装することができる。ＤＰ１８、２６は、ローカルな技術環境に適したいずれの種類のものであってもよく、また非限定的な例として、１又はそれ以上の汎用コンピュータ、専用コンピュータ、マイクロプロセッサ、デジタル信号プロセッサ（ＤＳＰ）、及びマルチコアプロセッサアーキテクチャに基づくプロセッサを含むことができる。
【００４３】
本発明の例示的な実施形態を利用することにより、ＡＣＫ／ＮＡＣＫ及びＳＲの同時送信をサポートする他の従来技術とは異なり、ＳＲ、ＡＣＫ／ＮＡＣＫ及びＣＱＩの性能を、これに変化があったとしてもほとんど伴わずに保持することができる。
【００４４】
多くの場合、周期的ＣＱＩ及び周期的ＳＲを異なるサブフレーム内に構成することが可能である。このような場合、ＣＱＩをドロップすることによって引き起こされる性能劣化は全く取るに足らないものであると推定される。
【００４５】
さらに、本発明の例示的な実施形態とともに、認められた変調の選択肢を利用することができる。すなわち、肯定ＳＲと否定ＳＲとに対して別個の変調又は多重化の選択肢を指定する必要がない。肯定ＳＲ及び否定ＳＲの両方に、既存のデータ非依存シグナリングを可能な限り同様に維持することができる。さらに、ＣＭ特性を変更する必要がない。
【００４６】
以下、非限定的な例示的な実施形態のさらなる説明を行う。明瞭性及び識別を目的として、後述する例示的な実施形態には別々に番号を付している。１又はそれ以上の例示的な実施形態の様々な態様を１又はそれ以上の他の態様又は例示的な実施形態とともに実施できるので、この付番が以下の様々な説明を完全に切り離すと解釈すべきではない。
【００４７】
１つの非限定的な例示的な実施形態では、及び図７に示すように、方法が、少なくとも１つのスケジューリング要求（ＳＲ）リソース（ＳＲ  ＰＵＣＣＨ）と、ＡＣＫ／ＮＡＣＫ  ＰＵＣＣＨ又はＣＱＩ  ＰＵＣＣＨなどのデータ非依存（ＤＮＡ）リソースとすることができる少なくとも１つの追加リソースとを含む、肯定応答及びチャネル品質指標（ＣＱＩ）の少なくとも一方の送信を行うべきであると定めるステップ（ボックス７１）と、ＳＲを送信すべきかどうかを判断するステップ（ボックス７２）と、肯定応答を送信すべきかどうかを判断するステップ（ボックス７３）と、ＣＱＩを送信すべきかどうかを判断するステップ（ボックス７４）と、ＳＲを送信すべきではなく肯定応答を送信すべきであるとの判断に応答して、ＤＮＡリソースなどの少なくとも１つの追加リソースの対応する少なくとも１つの肯定応答リソースを使用して肯定応答を送信し、少なくとも１つのＳＲリソースを使用しないステップ（ボックス７５）と、ＳＲを送信すべきではなくＣＱＩ（又はＣＱＩ＋ＡＣＫ／ＮＡＣＫ）を送信すべきであるとの判断に応答して、ＤＮＡリソースなどの少なくとも１つの追加リソースの対応する少なくとも１つのＣＱＩリソースを使用してＣＱＩ（又はＣＱＩ＋ＡＣＫ／ＮＡＣＫ）を送信し、少なくとも１つのＳＲリソースを使用しないステップ（ボックス７６）と、ＳＲを送信すべきであり肯定応答を送信すべきでないとの判断に応答して、少なくとも１つのＳＲリソースを使用してＳＲを送信し、ＣＱＩを送信すべき場合にＣＱＩを送信せずに、ＤＮＡリソースなどの少なくとも１つの追加リソースを使用しないステップ（ボックス７７）と、ＳＲを送信すべきであり肯定応答も送信すべきであるとの判断に応答して、少なくとも１つのＳＲリソースを使用して肯定応答を送信し、ＣＱＩを送信すべき場合にＣＱＩを送信せずに、ＤＮＡリソースなどの少なくとも１つの追加リソースを使用しないステップ（ボックス７８）とを含む。
【００４８】
周期的ＣＱＩ送信及び周期的ＳＲ送信が異なるサブフレーム内に構成される上記のような方法。送信信号がＰＵＣＣＨ上で送信される上記のいずれかにおけるような方法。送信信号がＵＬ上で送信される上記のいずれかにおけるような方法。送信される場合、肯定応答が未変調シーケンス１、ＢＰＳＫ／ＱＰＳＫ−変調シーケンス２を含む上記のいずれかにおけるような方法。方法がＵＥ又は端末により実施される上記のいずれかにおけるような方法。方法が無線通信ネットワーク内で実施される上記のいずれかにおけるような方法。方法がＥ−ＵＴＲＡＮ内で実施される上記のいずれかにおけるような方法。方法がコンピュータプログラムにより実施される上記のいずれかにおけるような方法。方法がユーザ機器のプロセッサにより実施される上記のいずれかにおけるような方法。
【００４９】
別の非限定的な例示的な実施形態では、コンピュータプログラム製品が、有形のコンピュータ可読媒体上で具体化されるプログラム命令を含む。このプログラム命令の実行により、少なくとも１つのスケジューリング要求（ＳＲ）リソースと、ＡＣＫ／ＮＡＣＫ  ＰＵＣＣＨ又はＣＱＩ  ＰＵＣＣＨなどのデータ非依存（ＤＮＡ）リソースなどの少なくとも１つの追加リソースとを含む、肯定応答及びチャネル品質指標（ＣＱＩ）の少なくとも一方の送信を行うべきであると定めるステップと、ＳＲを送信すべきかどうかを判断するステップと、肯定応答を送信すべきかどうかを判断するステップと、ＣＱＩを送信すべきかどうかを判断するステップと、ＳＲを送信すべきではなく肯定応答を送信すべきであるとの判断に応答して、ＤＮＡリソースなどの少なくとも１つの追加リソースの対応する少なくとも１つの肯定応答リソースを使用して肯定応答を送信し、少なくとも１つのＳＲリソースを使用しないステップと、ＳＲを送信すべきではなくＣＱＩ（又はＣＱＩ＋ＡＣＫ／ＮＡＣＫ）を送信すべきであるとの判断に応答して、ＤＮＡリソースなどの少なくとも１つの追加リソースの対応する少なくとも１つのＣＱＩリソースを使用してＣＱＩ（又はＣＱＩ＋ＡＣＫ／ＮＡＣＫ）を送信し、少なくとも１つのＳＲリソースを使用しないステップと、ＳＲを送信すべきであり肯定応答を送信すべきでないとの判断に応答して、少なくとも１つのＳＲリソースを使用してＳＲを送信し、ＣＱＩを送信すべき場合にＣＱＩを送信せずに、ＤＮＡリソースなどの少なくとも１つの追加リソースを使用しないステップと、ＳＲを送信すべきであり肯定応答も送信すべきであるとの判断に応答して、少なくとも１つのＳＲリソースを使用して肯定応答を送信し、ＣＱＩを送信すべき場合にＣＱＩを送信せずに、ＤＮＡリソースなどの少なくとも１つの追加リソースを使用しないステップとを含む動作が行われる。
【００５０】
周期的ＣＱＩ送信及び周期的ＳＲ送信が異なるサブフレーム内に構成される上記のようなコンピュータプログラム。送信信号がＰＵＣＣＨ上で送信される上記のいずれかにおけるようなコンピュータプログラム。送信信号がＵＬ上で送信される上記のいずれかにおけるようなコンピュータプログラム。送信される場合、肯定応答が未変調シーケンス１、ＢＰＳＫ／ＱＰＳＫ−変調シーケンス２を含む上記のいずれかにおけるようなコンピュータプログラム。方法がＵＥ又は端末により実施される上記のいずれかにおけるようなコンピュータプログラム。コンピュータプログラムが無線通信ネットワーク内で実施される上記のいずれかにおけるようなコンピュータプログラム。コンピュータプログラムがＥ−ＵＴＲＡＮ内で実施される上記のいずれかにおけるようなコンピュータプログラム。
【００５１】
別の非限定的な例示的な実施形態では、装置が、少なくとも１つのスケジューリング要求（ＳＲ）すなわちＳＲ  ＰＵＣＣＨリソースと、ＡＣＫ／ＮＡＣＫ  ＰＵＣＣＨ又はＣＱＩ  ＰＵＣＣＨなどのデータ非依存（ＤＮＡ）リソースとすることできる少なくとも１つの追加リソースとを含む、肯定応答及びチャネル品質指標（ＣＱＩ）の少なくとも一方の送信を行うように構成されたトランシーバと、ＳＲを送信すべきかどうかを判断し、肯定応答を送信すべきかどうかを判断し、ＣＱＩを送信すべきかどうかを判断するように構成されたプロセッサとを備え、ＳＲを送信すべきではなく肯定応答を送信すべきであるとのプロセッサの判断に応答して、トランシーバがＤＮＡリソースなどの少なくとも１つの追加リソースの対応する少なくとも１つの肯定応答リソースを使用して肯定応答を送信し、少なくとも１つのＳＲリソースを使用しないように構成され、ＳＲを送信すべきではなくＣＱＩを送信すべきであるとのプロセッサの判断に応答して、トランシーバがＤＮＡリソースなどの少なくとも１つの追加リソースの対応する少なくとも１つのＣＱＩリソースを使用してＣＱＩを送信し、少なくとも１つのＳＲリソースを使用しないように構成され、ＳＲを送信すべきであり肯定応答を送信すべきでないとのプロセッサの判断に応答して、トランシーバが少なくとも１つのＳＲリソースを使用してＳＲを送信し、ＣＱＩを送信すべき場合にＣＱＩを送信せずに、ＤＮＡリソースなどの少なくとも１つの追加リソースを使用しないように構成され、ＳＲを送信すべきであり肯定応答も送信すべきであるとのプロセッサの判断に応答して、トランシーバが少なくとも１つのＳＲリソースを使用して肯定応答を送信し、ＣＱＩを送信すべき場合にＣＱＩを送信せずに、ＤＮＡリソースなどの少なくとも１つの追加リソースを使用しないように構成される。
【００５２】
周期的ＣＱＩ送信及び周期的ＳＲ送信が異なるサブフレーム内に構成される上記のような装置。送信信号がＰＵＣＣＨ上で送信される上記のいずれかにおけるような装置。送信信号がＵＬ上で送信される上記のいずれかにおけるような装置。送信される場合、肯定応答が未変調シーケンス１、ＢＰＳＫ／ＱＰＳＫ−変調シーケンス２を含む上記のいずれかにおけるような装置。装置がＵＥ又は端末を含む上記のいずれかにおけるような装置。装置が無線通信ネットワークのノードを含む上記のいずれかにおけるような装置。装置がＥ−ＵＴＲＡＮのノードを含む上記のいずれかにおけるような装置。
【００５３】
別の非限定的な例示的な実施形態では、装置が、少なくとも１つのスケジューリング要求（ＳＲ）リソースと、ＡＣＫ／ＮＡＣＫ  ＰＵＣＣＨ又はＣＱＩ  ＰＵＣＣＨなどのデータ非依存（ＤＮＡ）リソースとすることできる少なくとも１つの追加リソースとを含む、肯定応答及びチャネル品質指標（ＣＱＩ）の少なくとも一方の送信を行うための手段と、ＳＲを送信すべきかどうかを判断するための手段と、肯定応答を送信すべきかどうかを判断するための手段と、ＣＱＩを送信すべきかどうかを判断するための手段とを備え、ＳＲを送信すべきではなく肯定応答を送信すべきであるとのプロセッサの判断に応答して、送信を行うための手段がＤＮＡリソースなどの少なくとも１つの追加リソースの対応する少なくとも１つの肯定応答リソースを使用して肯定応答をさらに送信し、少なくとも１つのＳＲリソースを使用しないための手段となり、ＳＲを送信すべきではなくＣＱＩを送信すべきであるとのプロセッサの判断に応答して、送信を行うための手段がＤＮＡリソースなどの少なくとも１つの追加リソースの対応する少なくとも１つのＣＱＩリソースを使用してＣＱＩをさらに送信し、少なくとも１つのＳＲリソースを使用しないための手段となり、ＳＲを送信すべきであり肯定応答を送信すべきでないとのプロセッサの判断に応答して、送信を行うための手段が少なくとも１つのＳＲリソースを使用してＳＲをさらに送信し、ＣＱＩを送信すべき場合にＣＱＩを送信せずに、ＤＮＡリソースなどの少なくとも１つの追加リソースを使用しないための手段となり、ＳＲを送信すべきであり肯定応答も送信すべきであるとのプロセッサの判断に応答して、送信を行うための手段が少なくとも１つのＳＲリソースを使用して肯定応答をさらに送信し、ＣＱＩを送信すべき場合にＣＱＩを送信せずに、ＤＮＡリソースなどの少なくとも１つの追加リソースを使用しないための手段となる。
【００５４】
送信を行うための手段が送信機を含み、ＳＲを送信すべきかどうかを判断する手段、肯定応答を送信すべきかどうかを判断する手段、及びＣＱＩを送信すべきかどうかを判断する手段がプロセッサを含む上記のような装置。
【００５５】
別の非限定的な例示的な実施形態では、及び図８に示すように、方法が、少なくとも１つのスケジューリング要求（ＳＲ）リソースと、ＡＣＫ／ＮＡＣＫ  ＰＵＣＣＨ及びＣＱＩ  ＰＵＣＣＨなどのデータ非依存（ＤＮＡ）リソースとすることができる少なくとも１つのその他のリソースとを含む送信信号を受信するステップ（ボックス８１）と、少なくとも１つのＳＲリソースが未使用であるとの判断に応答して、送信がＳＲを含まないと判断するステップ（ボックス８２）と、少なくとも１つのＳＲリソースが未使用でありＤＮＡリソースなどの少なくとも１つのその他のリソースの少なくとも１つの肯定応答リソースが使用されているとの判断に応答して、送信が肯定応答を含むと判断して肯定応答から肯定応答情報を取得するステップ（ボックス８３）と、少なくとも１つのＳＲリソースが未使用でありＤＮＡリソースなどの少なくとも１つの追加リソースの少なくとも１つのチャネル品質指標（ＣＱＩ）リソースが使用されているとの判断に応答して、送信がＣＱＩ（又はＣＱＩ＋ＡＣＫ／ＮＡＣＫ）を含むと判断してＣＱＩからＣＱＩ（又はＣＱＩ＋ＡＣＫ／ＮＡＣＫ）情報を取得するステップ（ボックス８４）と、少なくとも１つのＳＲリソースが使用されているとの判断に応答して、送信がＳＲを含むと判断するステップ（ボックス８５）と、少なくとも１つのＳＲリソースが肯定応答により使用されているとの判断に応答して、送信がＳＲを含むと判断して肯定応答から肯定応答情報を取得するステップ（ボックス８６）と、（単複の）判断及び／又は取得した情報に適宜応答するステップ（ボックス８７）とを含む。
【００５６】
周期的ＣＱＩ送信及び周期的ＳＲ送信が異なるサブフレーム内に構成される上記のような方法。送信信号がＰＵＣＣＨ上で受信される上記のいずれかにおけるような方法。送信信号がＵＬ上で受信される上記のいずれかにおけるような方法。受信される場合、肯定応答が未変調シーケンス１、ＢＰＳＫ／ＱＰＳＫ−変調シーケンス２を含む上記のいずれかにおけるような方法。方法が基地局又はネットワーク要素により実施される上記のいずれかにおけるような方法。方法が無線通信ネットワーク内で実施される上記のいずれかにおけるような方法。方法がＥ−ＵＴＲＡＮ内で実施される上記のいずれかにおけるような方法。方法がコンピュータプログラムにより実施される上記のいずれかにおけるような方法。方法がネットワーク要素のプロセッサにより実施される上記のいずれかにおけるような方法。
【００５７】
別の非限定的な例示的な実施形態では、コンピュータプログラム製品が、有形のコンピュータ可読媒体上で具体化されるプログラム命令を含む。このプログラム命令の実行により、少なくとも１つのスケジューリング要求（ＳＲ）リソースと、ＡＣＫ／ＮＡＣＫ  ＰＵＣＣＨ及びＣＱＩ  ＰＵＣＣＨなどのデータ非依存（ＤＮＡ）リソースとすることができる少なくとも１つの追加リソースとを含む送信信号を受信するステップと、少なくとも１つのＳＲリソースが未使用であるとの判断に応答して、送信がＳＲを含まないと判断するステップと、少なくとも１つのＳＲリソースが未使用でありＤＮＡリソースなどの少なくとも１つの追加リソースの少なくとも１つの肯定応答リソースが使用されているとの判断に応答して、送信が肯定応答を含むと判断して肯定応答から肯定応答情報を取得するステップと、少なくとも１つのＳＲリソースが未使用でありＤＮＡリソースなどの少なくとも１つの追加リソースの少なくとも１つのチャネル品質指標（ＣＱＩ）リソースが使用されているとの判断に応答して、送信がＣＱＩを含むと判断してＣＱＩからＣＱＩ情報を取得するステップと、少なくとも１つのＳＲリソースが使用されているとの判断に応答して、送信がＳＲを含むと判断するステップと、少なくとも１つのＳＲリソースが肯定応答により使用されているとの判断に応答して、送信がＳＲを含むと判断して肯定応答から肯定応答情報を取得するステップと、（単複の）判断及び／又は取得した情報に適宜応答するステップとを含む動作が行われる。
【００５８】
周期的ＣＱＩ送信及び周期的ＳＲ送信が異なるサブフレーム内に構成される上記のようなコンピュータプログラム。送信信号がＰＵＣＣＨ上で受信される上記のいずれかにおけるようなコンピュータプログラム。送信信号がＵＬ上で受信される上記のいずれかにおけるような方法。受信される場合、肯定応答が未変調シーケンス１、ＢＰＳＫ／ＱＰＳＫ−変調シーケンス２を含む上記のいずれかにおけるようなコンピュータプログラム。方法が基地局又はネットワーク要素により実施される上記のいずれかにおけるような方法。コンピュータプログラムが無線通信ネットワーク内で実施される上記のいずれかにおけるようなコンピュータプログラム。コンピュータプログラムがＥ−ＵＴＲＡＮ内で実施される上記のいずれかにおけるようなコンピュータプログラム。
【００５９】
別の非限定的な例示的な実施形態では、装置が、少なくとも１つのスケジューリング要求（ＳＲ）リソースと、ＡＣＫ／ＮＡＣＫ  ＰＵＣＣＨ及びＣＱＩ  ＰＵＣＣＨなどのデータ非依存（ＤＮＡ）リソースとすることができる少なくとも１つの追加リソースとを含む送信信号を受信するように構成された受信機と、少なくとも１つのＳＲリソースが未使用であるとの判断に応答して、送信がＳＲを含まないと判断し、少なくとも１つのＳＲリソースが未使用でありＤＮＡリソースなどの少なくとも１つの追加リソースの少なくとも１つの肯定応答リソースが使用されているとの判断に応答して、送信が肯定応答を含むと判断して肯定応答から肯定応答情報を取得し、少なくとも１つのＳＲリソースが未使用であり少なくとも１つのＤＮＡリソースの少なくとも１つのチャネル品質指標（ＣＱＩ）リソースが使用されているとの判断に応答して、送信がＣＱＩを含むと判断してＣＱＩからＣＱＩ情報を取得し、少なくとも１つのＳＲリソースが使用されているとの判断に応答して、送信がＳＲを含むと判断し、少なくとも１つのＳＲリソースが肯定応答により使用されているとの判断に応答して、送信がＳＲを含むと判断して肯定応答から肯定応答情報を取得し、（単複の）判断及び／又は取得した情報に適宜応答するように構成されたプロセッサとを備える。
【００６０】
周期的ＣＱＩ送信及び周期的ＳＲ送信が異なるサブフレーム内に構成される上記のような装置。送信信号がＰＵＣＣＨ上で受信機により受信される上記のいずれかにおけるような装置。送信信号がＵＬ上で受信機により受信される上記のいずれかにおけるような装置。受信機により受信される場合、肯定応答が未変調シーケンス１、ＢＰＳＫ／ＱＰＳＫ−変調シーケンス２を含む上記のいずれかにおけるような装置。装置が基地局又はネットワーク要素を含む上記のいずれかにおけるような装置。装置が無線通信ネットワークのノードを含む上記のいずれかにおけるような装置。装置がＥ−ＵＴＲＡＮのノードを含む上記のいずれかにおけるような装置。
【００６１】
別の非限定的な例示的な実施形態では、装置が、少なくとも１つのスケジューリング要求（ＳＲ）リソースと、ＡＣＫ／ＮＡＣＫ  ＰＵＣＣＨ及びＣＱＩ  ＰＵＣＣＨなどのデータ非依存（ＤＮＡ）リソースとすることができる少なくとも１つの追加リソースとを含む送信信号を受信するための手段と、少なくとも１つのＳＲリソースが未使用であるとの判断に応答して、送信がＳＲを含まないと判断するための手段と、少なくとも１つのＳＲリソースが未使用でありＤＮＡリソースなどの少なくとも１つの追加リソースの少なくとも１つの肯定応答リソースが使用されているとの判断に応答して、送信が肯定応答を含むと判断して肯定応答から肯定応答情報を取得するための手段と、少なくとも１つのＳＲリソースが未使用でありＤＮＡリソースなどの少なくとも１つの追加リソースの少なくとも１つのチャネル品質指標（ＣＱＩ）リソースが使用されているとの判断に応答して、送信がＣＱＩを含むと判断してＣＱＩからＣＱＩ情報を取得するための手段と、少なくとも１つのＳＲリソースが使用されているとの判断に応答して、送信がＳＲを含むと判断するための手段と、少なくとも１つのＳＲリソースが肯定応答により使用されているとの判断に応答して、送信がＳＲを含むと判断して肯定応答から肯定応答情報を取得するための手段と、（単複の）判断及び／又は取得した情報に適宜応答するための手段とを備える。
【００６２】
受信するための手段が受信機を含み、判断／取得するための手段及び応答するための手段がプロセッサを含む上記のような装置。
【００６３】
本発明の例示的な実施形態によれば、及び図９Ａ、図９Ｂ及び図９Ｃに示すように、方法、実行可能コンピュータプログラム及び装置が、スケジューリング要求リソース及び少なくとも１つのその他のリソースがユーザ機器のために同じサブフレーム内に確保されていると判断し（ボックス９１０）、スケジューリング要求がユーザ機器により送信されることを望まれているかどうかに基づいて、肯定応答／否定応答と、ユーザ機器により送信されることを望まれているチャネル品質指標との少なくとも一方をリソースの１つに入れて少なくとも１つのその他のリソースを使用しない（ボックス９２０）ように構成される。スケジューリング要求リソース及び少なくとも１つのその他のリソースが、物理アップリンク制御チャネルリソースである（ボックス９３０）、上記のような方法、実行可能コンピュータプログラム及び装置。さらに、ユーザ機器がスケジューリング要求を送信すること及び肯定応答／否定応答を送信することを望む場合には、肯定応答／否定応答をスケジューリングリソース上でスケジューリング要求とともに送信し、少なくとも１つのその他のリソースを使用しないステップ、或いはユーザ機器がスケジューリング要求を送信することを望まず、肯定応答／否定応答を送信することを望む場合には、肯定応答／否定応答を少なくとも１つのその他のリソース上で送信し、スケジューリング要求リソースを使用しないステップ（ボックス９４０）を含む、上記のいずれかにおけるような方法。ユーザ機器がスケジューリング要求及びチャネル品質指標を送信することは望むが、肯定応答／否定応答を送信することは望まない場合には、スケジューリング要求をスケジューリングリソース上で送信し、チャネル品質指標を送信せず、少なくとも１つのその他のリソースを使用しない（ボックス９５０）、上記のような方法、実行可能コンピュータプログラム及び装置。さらに、ユーザ機器がスケジューリング要求を送信すること、チャネル品質指標を送信すること、及び肯定応答／否定応答を送信することを望む場合には、肯定応答／否定応答をスケジューリングリソース上でスケジューリング要求とともに送信し、チャネル品質指標を送信せずに少なくとも１つの他のリソースを使用せず、或いはユーザ機器がスケジューリング要求を送信することを望まず、チャネル品質指標及び肯定応答／否定応答を送信することを望む場合には、肯定応答／否定応答及びチャネル品質指標を少なくとも１つのその他のリソース上で送信し、スケジューリング要求リソースを使用しない（ボックス９６０）、上記のような方法、実行可能コンピュータプログラム及び装置。
【００６４】
スケジューリング要求情報が、選択した物理アップリンク制御チャネル選択に基づいて伝達される、上記のような方法、実行可能コンピュータプログラム及び装置。
【００６５】
さらに、本発明の例示的な実施形態によれば、方法、実行可能コンピュータプログラム及び装置が、ＡＣＫ／ＮＡＣＫリソース（ＡＣＫ／ＮＡＣＫ  ＰＵＣＣＨ）とＣＱＩリソース（ＣＱＩ  ＰＵＣＣＨ）という２つのリソースの少なくとも一方が同じＵＥによりスケジューリング要求リソース（ＳＲ  ＰＵＣＣＨ）と共に同じサブフレーム内に確保されている場合に、ＰＵＣＣＨリソースを使用すべきであると判断するステップを含むように構成される。肯定スケジューリング要求が存在する場合には、肯定応答をスケジューリング要求リソース（ＳＲ  ＰＵＣＣＨ）上でスケジューリング要求とともに送信してＡＣＫ／ＮＡＣＫ  ＰＵＣＣＨリソースを使用せず、及び否定スケジューリング要求が存在する場合には、肯定応答（ＡＣＫ／ＮＡＣＫ）を元々のＡＣＫ／ＮＡＣＫリソース（ＡＣＫ／ＮＡＣＫ  ＰＵＣＣＨ）上で送信してＳＲ  ＰＵＣＣＨリソースを使用しないように動作する、上記のような方法、実行可能コンピュータプログラム及び装置。チャネル品質指標も送信すべきであるとともに、対応するＣＱＩ  ＰＵＣＣＨリソースが確保されている場合、及びＣＱＩは存在するがＡＣＫ／ＮＡＣＫが存在しない肯定スケジューリング要求の場合には、ＳＲ  ＰＵＣＣＨリソース上でスケジューリング要求を送信してチャネル品質指標を送信せず（ＣＱＩ  ＰＵＣＣＨリソースを使用しない）、ＣＱＩ及びＡＣＫ／ＮＡＣＫが存在する肯定スケジューリング要求の場合には、ＡＣＫ／ＮＡＣＫをスケジューリング要求リソース（ＳＲ  ＰＵＣＣＨ）上で送信してチャネル品質指標を一切送信せず（ＣＱＩ  ＰＵＣＣＨ及びＡＣＫ／ＮＡＣＫ  ＰＵＣＣＨリソースを使用しない）、否定スケジューリング要求の場合には、チャネル品質指標及び送信可能なＡＣＫ／ＮＡＣＫを元々のＣＱＩ  ＰＵＣＣＨリソース上で送信する、上記のような方法、実行可能コンピュータプログラム及び装置。スケジューリング要求情報が、選択したＰＵＣＣＨリソースに基づいて伝達される、上記のような方法、実行可能コンピュータプログラム及び装置。
【００６６】
ＥＵＴＲＡＮ（ＵＴＲＡＮ−ＬＴＥ）システムとの関連において例示的な実施形態について上述したが、本発明の例示的な実施形態はこの１つの特定の種類の無線通信システムのみとの使用に限定されるものではなく、その他の無線通信システムにおいても有利に使用できることを理解されたい。
【００６７】
上述したような、及び特に例示的な方法に関して説明したような本発明の例示的な実施形態を、有形コンピュータ可読媒体上で具体化されるプログラム命令を含むコンピュータプログラム製品として実現することができる。プログラム命令を実行することにより、例示的な実施形態を利用するステップ又は方法のステップを含む動作が行われるようになる。
【００６８】
「接続された」、「結合された」という用語、又はこれらのあらゆる変形は、直接的、間接的を問わず、２又はそれ以上の要素間のあらゆる接続又は結合を意味するとともに、ともに「接続された」又は「結合された」２つの要素間における１又はそれ以上の中間要素の存在を含むことができる。要素間の結合又は接続は、物理的なもの、論理的なもの、又はこれらの組み合わせであってもよい。本明細書で使用する場合、２つの要素が、１又はそれ以上のワイヤ、ケーブル、及び／又はプリント電気接続部を使用して、並びにいくつかの非限定的かつ非網羅的な例として、高周波領域、マイクロ波領域及び光学（可視、不可視の両方）領域内に波長を有する電磁エネルギーなどの電磁エネルギーを使用して、ともに「接続」又は「結合」されると考えることができる。
【００６９】
一般に、様々な実施形態を、ハードウェア又は専用回路、ソフトウェア、論理回路、又はこれらのあらゆる組み合わせの形で実現することができる。例えば、ハードウェアの形で実現できる態様もあれば、コントローラ、マイクロプロセッサ、又はその他のコンピュータ装置により実行できるファームウェア又はソフトウェアの形で実現できる態様もあるが、本発明はこれらに限定されるものではない。本発明の様々な態様をブロック図、フロー図、又は他の何らかの図的記述を使用して示し説明することができるが、本明細書で説明したこれらのブロック、装置、システム、技術、又は方法を、非限定的な例として、ハードウェア、ソフトウェア、ファームウェア、専用回路又は論理回路、汎用ハードウェア又はコントローラ又はその他のコンピュータ装置、又はこれらのいくつかの組み合わせの形で実行できることが十分に理解される。
【００７０】
本発明の実施形態を、一体型回路モジュールなどの様々な構成要素において実施することができる。一体型回路の設計は、概して高度に自動化されたプロセスである。論理レベルの設計を、半導体基板上でエッチングされ形成される準備ができている半導体回路設計に変換するために、複雑かつ強力なソフトウェアツールが利用可能である。
【００７１】
カリフォルニア州マウンテンビューのＳｙｎｏｐｓｙｓ社、及び、カリフォルニア州サンホセのＣａｄｅｎｃｅ  Ｄｅｓｉｇｎ社により提供されるようなプログラムは、十分に確立した設計ルール並びに事前に記憶した設計モジュールのライブラリを使用して、自動的に導体を導き半導体チップ上に構成部品を位置決めする。半導体回路の設計が完了すると、結果として得られる（Ｏｐｕｓ、ＧＤＳＩＩなどの）標準化された電子品フォーマットの形の設計を半導体加工施設へ、又は製造のために製造工場へ送信することができる。
【００７２】
例示的かつ非限定的な例により、本発明の完全かつ有益な説明として上述の説明を提供した。しかしながら、添付図面及び添付の特許請求の範囲と併せて読めば、当業者には上述の説明に照らして様々な修正及び適応が明らかとなるであろう。しかしながら、本発明の教示の全てのこのような及び同様の修正も本発明の範囲に含まれる。
【００７３】
さらに、本発明の好ましい実施形態の特徴の一部を、その他の特徴を対応して使用することなく有利に使用することができる。したがって、上述の説明は、本発明の原理を例示したものにすぎず、これらを限定するものではないと見なすべきである。
【図１】
2011502415.tif 000003
【図５】
2011502415.tif 000004
【図６】
2011502415.tif 000005
【図７】
2011502415.tif 000006
【図８】
2011502415.tif 000007
【図９Ａ】
2011502415.tif 000008
【図９Ｂ】
2011502415.tif 000009
【図９Ｃ】
2011502415.tif 000010
【図２】
2011502415.tif 000011
【図３】
2011502415.tif 000012
【図４】
2011502415.tif 000013
【国際調査報告】
2011502415.tif 000014
2011502415.tif 000015
2011502415.tif 000016